(57)【要約】【課題】  水栓本体に接続された継手管の間隔を調節自在とした混合水栓において、継手管の間隔を取付孔の間隔に応じて調節可能で、しかも安定した状態で取付面に取り付けることができる混合水栓を提供する。【解決手段】  洗面台，流し台，浴室等の取付面Ａに取り付けられる水栓本体３と、該水栓本体３に形成された一対の開口部７，７ａにそれぞれ接続されるクランク形の継手管２１，２１ａとを備え、前記取付面Ａに穿設された一対の取付孔Ｂの間隔に合わせて継手管２１，２１ａを回転させ、継手管２１，２１ａの互いの雄ねじ部２３，２３の間隔を調節可能とした混合水栓１において、前記継手管２１，２１ａは挿入部２４に嵌合される取付板４１を設け、該取付板４１は継手管２１，２１ａの挿入部２４に嵌合した状態で水栓本体３に固定することで、継手管２１，２１ａの水栓本体３に対する上下方向の移動を防止した。【選択図】  図２
2005314937.tif 000002
【特許請求の範囲】
【請求項１】
洗面台，流し台，浴室等の取付面に取り付けられ、下方に収容室が形成された水栓本体と、該水栓本体の収容室に形成された一対の開口部にそれぞれ接続される継手管とを備え、該継手管は前記開口部に挿入される挿入部と配管が接続される雄ねじ部とを偏心させたクランク形に形成され、かつ前記開口部を中心に回転自在に接続されており、前記取付面に穿設された一対の取付孔の間隔に合わせて継手管を回転させ、継手管の互いの雄ねじ部の間隔を調節可能とした混合水栓において、前記継手管は挿入部に嵌合される取付板を設け、該取付板は継手管の挿入部に嵌合した状態で水栓本体に固定することで、継手管の水栓本体に対する上下方向の移動を防止したことを特徴とする混合水栓。
【請求項２】
洗面台，流し台，浴室等の取付面に取り付けられ、下方に収容室が形成された水栓本体と、該水栓本体の収容室に形成された一対の開口部にそれぞれ接続される継手管とを備え、該継手管は前記開口部に挿入される挿入部と配管が接続される雄ねじ部とを偏心させたクランク形に形成され、かつ前記開口部を中心に回転自在に接続されており、前記取付面に穿設された一対の取付孔の間隔に合わせて継手管を回転させ、継手管の互いの雄ねじ部の間隔を調節可能とした混合水栓において、前記継手管は挿入部と雄ねじ部との間に第１当接面及び第２当接面を有する連結部が形成されると共に、前記水栓本体の収容室には複数の固定板を重ね合わせた状態で配置し、固定板を継手管の第１当接面又は第２当接面に当接させることで、継手管の水栓本体に対する回転を防止したことを特徴とする混合水栓。
【請求項３】
洗面台，流し台，浴室等の取付面に取り付けられ、下方に収容室が形成された水栓本体と、該水栓本体の収容室に形成された一対の開口部にそれぞれ接続される継手管とを備え、該継手管は前記開口部に挿入される挿入部と配管が接続される雄ねじ部とを偏心させたクランク形に形成され、かつ前記開口部を中心に回転自在に接続されており、前記取付面に穿設された一対の取付孔の間隔に合わせて継手管を回転させ、継手管の互いの雄ねじ部の間隔を調節可能とした混合水栓において、前記継手管は挿入部に嵌合される取付板を設け、挿入部と雄ねじ部との間に第１当接面及び第２当接面を有する連結部が形成されると共に、前記水栓本体の収容室には複数の固定板を重ね合わせた状態で配置し、取付板は継手管の挿入部に嵌合した状態で水栓本体に固定することで、継手管の水栓本体に対する上下方向の移動を防止し、固定板を継手管の第１当接面又は第２当接面に当接させることで、継手管の水栓本体に対する回転を防止したことを特徴とする混合水栓。
【発明の詳細な説明】
【技術分野】
【０００１】
この発明は、洗面台，流し台，浴室等の取付面に取り付けられる混合水栓に関するものである。
【背景技術】
【０００２】
従来、混合水栓を洗面台，流し台，浴室等の取付面に取り付けるには、例えば、浴室のカウンター等の取付面に穿設された２つの取付孔に対して混合水栓に接続された継手管を挿入し、継手管に取付面の裏側からナット等を螺着して、混合水栓とナットとで取付面を挟着することで混合水栓を取付面に固定していた。しかし、取付面に穿設された２つの取付孔の間隔は、浴室の仕様や用途により１２０ミリ，１０２ミリ，８５ミリのようにそれぞれ異なっているため、取付孔の間隔に合わせて継手管の間隔の異なる混合水栓を多種類製造しなければならなかった。そこで、特許文献１のように混合水栓にクランク形の継手管を接続し、この継手管を取付孔の間隔に合わせて回転させ、継手管の間隔を調節可能としたものが登場した。
【０００３】
特許文献１の混合水栓は、水栓本体と、水栓本体に接続される一対の継手管とから構成されている。継手管は、一端に給水配管又は給湯配管と接続される流入口及び雄ねじ部が形成され、他端に水栓本体に形成された給水室に連通する流出口を備えた連結部が形成されている。また、継手管は連結部と雄ねじ部との間に形成された曲管部によって、流入口の軸心と流出口の軸心とが偏心するように形成されている。この継手管は、水栓本体に接続された状態でそれぞれの流出口を中心に回転自在とし、継手管のそれぞれの流入口の間隔を自在に調節可能としたものである。
【０００４】
この混合水栓では、取付面に穿設された取付孔の間隔が取付現場により異なっていても、取付孔の間隔に合わせて継手管を回動させることにより、取付孔の間隔と継手管の流入口の間隔とを一致させた後に継手管を取付孔に挿入し、取付面の裏側から継手管の雄ねじ部にナットを螺着することで水栓を取付面に固定している。
【０００５】
【特許文献１】実開昭６０−８６６９１号公報
【０００６】
しかしながら、特許文献１の混合水栓においては、継手管の間隔は取付孔の間隔に合わせて調節することができるが、継手管は位置決めがされていないため、必要以上に回転したり、上下方向に動いたりしてしまう。したがって、混合水栓は取付面に取り付けられた状態でがたついてしまい、安定した状態で固定することができなかった。
【発明の開示】
【発明が解決しようとする課題】
【０００７】
この発明は、このような従来の技術に存在する問題点に着目してなされたものであり、その目的は、水栓本体に接続された継手管の間隔を調節自在とした混合水栓において、継手管の間隔を取付孔の間隔に応じて調節可能で、しかも安定した状態で取付面に取り付けることができる混合水栓を提供することである。
【課題を解決するための手段】
【０００８】
上記の目的を達成するために、請求項１に記載の発明は、洗面台，流し台，浴室等の取付面に取り付けられ、下方に収容室が形成された水栓本体と、該水栓本体の収容室に形成された一対の開口部にそれぞれ接続される継手管とを備え、該継手管は前記開口部に挿入される挿入部と配管が接続される雄ねじ部とを偏心させたクランク形に形成され、かつ前記開口部を中心に回転自在に接続されており、前記取付面に穿設された一対の取付孔の間隔に合わせて継手管を回転させ、継手管の互いの雄ねじ部の間隔を調節可能とした混合水栓において、前記継手管は挿入部に嵌合される取付板を設け、該取付板は継手管の挿入部に嵌合した状態で水栓本体に固定することで、継手管の水栓本体に対する上下方向の移動を防止したものである。
【０００９】
請求項２に記載の発明は、洗面台，流し台，浴室等の取付面に取り付けられ、下方に収容室が形成された水栓本体と、該水栓本体の収容室に形成された一対の開口部にそれぞれ接続される継手管とを備え、該継手管は前記開口部に挿入される挿入部と配管が接続される雄ねじ部とを偏心させたクランク形に形成され、かつ前記開口部を中心に回転自在に接続されており、前記取付面に穿設された一対の取付孔の間隔に合わせて継手管を回転させ、継手管の互いの雄ねじ部の間隔を調節可能とした混合水栓において、前記継手管は挿入部と雄ねじ部との間に第１当接面及び第２当接面を有する連結部が形成されると共に、前記水栓本体の収容室には複数の固定板を重ね合わせた状態で配置し、固定板を継手管の第１当接面又は第２当接面に当接させることで、継手管の水栓本体に対する回転を防止したものである。
【００１０】
請求項３に記載の発明は、洗面台，流し台，浴室等の取付面に取り付けられ、下方に収容室が形成された水栓本体と、該水栓本体の収容室に形成された一対の開口部にそれぞれ接続される継手管とを備え、該継手管は前記開口部に挿入される挿入部と配管が接続される雄ねじ部とを偏心させたクランク形に形成され、かつ前記開口部を中心に回転自在に接続されており、前記取付面に穿設された一対の取付孔の間隔に合わせて継手管を回転させ、継手管の互いの雄ねじ部の間隔を調節可能とした混合水栓において、前記継手管は挿入部に嵌合される取付板を設け、挿入部と雄ねじ部との間に第１当接面及び第２当接面を有する連結部が形成されると共に、前記水栓本体の収容室には複数の固定板を重ね合わせた状態で配置し、取付板は継手管の挿入部に嵌合した状態で水栓本体に固定することで、継手管の水栓本体に対する上下方向の移動を防止し、固定板を継手管の第１当接面又は第２当接面に当接させることで、継手管の水栓本体に対する回転を防止したものである。
【発明の効果】
【００１１】
請求項１では、継手管は挿入部に取付板を嵌合して水栓本体に固定させることにより、上下方向に移動不能な状態で固定されているので、継手管の間隔を取付孔の間隔に応じて調節可能で、しかも安定した状態で混合水栓を取付面に取り付けることができる。
【００１２】
請求項２では、固定板を継手管に当接させることにより、継手管は不用意な回転が防止された安定した状態で固定されているので、継手管の間隔を取付孔の間隔に応じて調節可能で、しかも安定した状態で混合水栓を取付面に取り付けることができる。
【００１３】
請求項３では、継手管は挿入部に取付板を嵌合して水栓本体に固定させることにより、上下方向に移動不能な状態で固定され、また、固定板を継手管に当接させることにより、不用意な回転が防止された安定した状態で固定されているので、継手管の間隔を取付孔の間隔に応じて調節可能で、しかも安定した状態で混合水栓を取付面に取り付けることができる。
【発明を実施するための最良の形態】
【００１４】
以下、本発明の実施例を図に基づいて詳細に説明する。
【実施例１】
【００１５】
図１に示すように、本発明の混合水栓１は、例えば、浴室の取付面Ａに取り付けられるものであり、給水源，給湯源から供給された水，湯を混合し、この混合水を吐水管２又はシャワーヘッド（図示省略）から吐水するものである。
【００１６】
前記混合水栓１は、図２に示すように、給水源，給湯源から供給された水，湯を混合する水栓本体３と、水栓本体３に対して回転自在に接続され、給水源，給湯源から供給された水，湯を水栓本体３へ供給する水側継手管２１，湯側継手管２１ａと、この継手管２１，２１ａを水栓本体３へ固定するための取付板４１と、継手管２１，２１ａの不用意な回転を防止するための第１固定板５１，第２固定板５１ａとを備えている。
【００１７】
前記水栓本体３は横長の箱型形状で、一方の側面には水側継手管２１，湯側継手管２１ａから供給された水，湯の混合比を調節する温度調節ハンドル４が、他方の側面には温度調節ハンドル４で調節された混合水の流量調節と、吐水方向を吐水管２又はシャワーヘッド（図示省略）に切り替える切替ハンドル５がそれぞれ設けられると共に、下方には後述する継手管２１，２１ａが接続される収容室６が形成されている。図３に示すように、この収容室６の両端には下方に向かって水側開口部７，湯側開口部７ａがそれぞれ突出して形成されており、開口部７，７ａの下端面には前後方向に向かって薄板状の端面板８が形成され、この端面板８には雌ねじ部９が形成されている。また、収容室６の略中央には、収容室６を前後に横断するように仕切板１０が形成され、その途中には雌ねじ部１２，１２ａを備えた第１筒部１１及び第２筒部１１ａが形成されている。
【００１８】
前記水側継手管２１と湯側継手管２１ａとは同一物品であり、この継手管２１，２１ａは内部に流路２２が形成され、給水源，給湯源から供給された水，湯を水栓本体３へ供給するもので、配管（図示省略）が接続される雄ねじ部２３と、水栓本体３の開口部７に挿入される挿入部２４と、雄ねじ部２３と挿入部２４とを繋ぐ連結部２５とから構成され、雄ねじ部２３と挿入部２４とはその軸心が偏心した位置関係となっている。また、雄ねじ部２３と連結部２５との間には円盤形状のフランジ部２６が形成されており、このフランジ部２６は雄ねじ部２３の軸心を中心として取付面Ａに穿設された取付孔Ｂより大径に形成されている。
【００１９】
前記継手管２１，２１ａの挿入部２４は円筒形で、その外周には複数個の第１凹溝２７と第２凹溝２８とが環状に形成され、互いの凹溝２７，２８は隣接している。前記第１凹溝２７にはゴム等のシール材２９が装着され、このシール材２９は継手管２１，２１ａを水栓本体３の開口部７，７ａに接続した状態で両物品を水密状態に維持するものである。また、前記第２凹溝２８には後述する取付板４１が嵌合され、この取付板４１は継手管２１，２１ａを水栓本体３に固定し、しかも継手管２１，２１ａを水栓本体３に対し回転自在とするものである。
【００２０】
前記継手管２１，２１ａの連結部２５は雄ねじ部２３と挿入部２４とを繋ぐもので、その形状は略直方体形状であり、挿入部２４の軸心を中心として左右両方向へ均等に突出して形成されており、図３に示すように、一方の側面は挿入部２４より外向へ突出して第１当接面３０が形成され、他方の側面は挿入部２４と雄ねじ部２３との間に第２当接面３１が形成されている。
【００２１】
前記取付板４１は継手管２１，２１ａを水栓本体３に固定するためのもので、略小判形状の薄板からなり、その厚みは第２凹溝２８と略同一である。この取付板４１は両端に挿孔４２が、中央に第２凹溝２８と同径の切欠４３がそれぞれ形成されている。
【００２２】
前記継手管２１，２１ａを水栓本体３に固定するには、まず、継手管２１，２１ａの第２凹溝２８に対し取付板４１を側方から嵌合させる。次に、取付板４１の切欠４３が前記収容室６の内側を向くようにして、取付板４１が開口部７，７ａの下端面及び端面板８に当接するまで、継手管２１，２１ａの挿入部２４を水栓本体３の開口部７，７ａに挿入する。なお、このとき取付板４１の挿孔４２と端面板８の雌ねじ部９とはその軸心が互いに一致している。そして、止め具４４を取付板４１の挿孔４２に挿通し、端面板８の雌ねじ部９に螺着することで、継手管２１，２１ａが水栓本体３の収容室６に固定される。この状態のとき、継手管２１，２１ａは水栓本体３に対して上下方向に動くことはなく、また、継手管２１，２１ａは開口部７，７ａを中心に回転自在となる。
【００２３】
前記第１固定板５１と第２固定板５１ａとは同一物品であり、この固定板５１，５１ａは継手管２１，２１ａの向きを固定するためのもので、長方形の薄板の一部を切り欠いた形状で、正方形状の第１板部５２と、長方形状の第２板部５３とからなり、第１板部５２には前記第１筒部１１に形成された雌ねじ部１２と略同径の第１挿通孔５４と第２挿通孔５５とが上下に貫通して形成されている。また、第１板部５２に隣接してその長手方向に沿ってスライド孔５６が形成されており、このスライド孔５６に隣接して前記第１挿通孔５４，第２挿通孔５５と同径の第３挿通孔５７が形成されている。なお、第３挿通孔５７の中心は第１挿通孔５４の中心と同一直線上となるように形成されている。
【００２４】
前記固定板５１，５１ａを水栓本体３に取り付けるには、まず、両固定板５１，５１ａの互いの第２板部５３，５３が同一直線上にあり、かつ互いに反対方向を向くように第１固定板５１と第２固定板５１ａとを重ね合わせた状態とする。次に、固定板５１，５１ａの互いの第１挿通孔５４，５４と第３挿通孔５７，５７とがそれぞれ一致するように両固定板５１，５１ａの位置を調節し、両固定板５１，５１ａの第１挿通孔５４，５４が前記第１筒部１１の雌ねじ部１２と、両固定板５１，５１ａの第３挿通孔５７，５７が前記第２筒部１１ａの雌ねじ部１２ａとそれぞれ一致するように、固定板５１，５１ａを収容室６に配置させる。なお、このとき図２及び図３に示すように、第１固定板５１が上方，第２固定板が下方となるように配置させておく。そして、第１ビス５８を両固定板５１，５１ａの第１挿通孔５４，５４に挿通して第１筒部１１の雌ねじ部１２に螺着し、第２ビス５９を両固定板５１，５１ａの第３挿通孔５７，５７に挿通して第２筒部１１ａの雌ねじ部１２ａに螺着することで、固定板５１，５１ａが水栓本体３の収容室６に取り付けられる。
【００２５】
また、前記固定板５１，５１ａは水栓本体３の収容室６に取り付けられた状態において、第１ビス５８を水栓本体３の第１筒部１１から取り外し、第２ビス５９を少し緩めた状態とする。即ち、固定板５１，５１ａを水栓本体３の収容室６に仮止めした状態とすると、固定板５１，５１ａは互いのスライド孔５６，５６が重なり合う範囲内で左右方向に互いに移動可能となり、例えば図５に示すように、固定板５１，５１ａの第２挿通孔５５が互いに一致するように固定板５１，５１ａの位置を調節し、第１ビス５８を固定板５１，５１ａの第２挿通孔５５，５５に挿通して第１筒部１１の雌ねじ部１２螺着することで、固定板５１，５１ａを水栓本体３の収容室６に取り付けることもできる。
【００２６】
なお、継手管２１，２１ａと固定板５１，５１ａとの位置関係は次のようになっている。まず、図４では両継手管２１，２１ａの互いの雄ねじ部２３，２３の間隔が最大となるもので、この場合、継手管２１，２１ａは第１当接面３０，３０が互いに向かい合うように水栓本体３の収容室６に取り付けられており、また固定板５１，５１ａは互いの第１挿通孔５４，５４及び第３挿通孔５７，５７がそれぞれ一致するように水栓本体３の収容室６に取り付けられている。このとき、湯側継手管２１ａの第１当接面３０は第１固定板５１の第１板部５２と、水側継手管２１の第１当接面３０は第２固定板５１ａの第１板部５２とそれぞれ当接しており、これにより両継手管５１，５１ａが水栓本体３に対して回転しないように位置決めがなされている。
【００２７】
また、図５では両継手管２１，２１ａの互いの雄ねじ部２３，２３の間隔が、水栓本体３に形成された開口部７，７の間隔と同一となるもので、この場合、継手管２１，２１ａは第１当接部３０，３０が水栓本体３の前方を向くように水栓本体３の収容室６に取り付けられ、また固定板５１，５１ａは互いの第２挿通孔５５，５５が一致するように水栓本体３の収容室６に取り付けられている。このとき、湯側継手管２１ａの第２当接面３１は第２固定板５１ａの第２板部５３と、水側継手管２１の第２当接面３１は第１固定板５１の第２板部５３とそれぞれ当接しており、これにより両継手管２１，２１ａが水栓本体３に対して回転しないように位置決めがなされている。
【００２８】
さらに、図６では両継手管２１，２１ａの互いの雄ねじ部２３，２３の間隔が最少となるもので、この場合、継手管２１，２１ａは第２当接面３１，３１が互いに向かい合うように水栓本体３の収容室６に取り付けられており、また固定板５１，５１ａは互いの第１挿通孔５４，５４及び第３挿通孔５７，５７がそれぞれ一致するように水栓本体３の収容室６に取り付けられている。このとき、湯側継手管２１ａの第２当接面３１は第１固定板５１の第１板部５２と、水側継手管２１の第２当接面３１は第２固定板５１ａの第１板部５２とそれぞれ当接しており、これにより両継手管２１，２１ａが水栓本体３に対して回転しないように位置決めがなされている。
【００２９】
上記の混合水栓１の取付面Ａへの取付手順を説明する。
工場から出荷される状態においては、水栓本体１に取り付けられた継手管２１，２１ａは図４乃至図６の何れかの状態にあり、例えば、図４では、両継手管２１，２１ａの互いの雄ねじ部２３，２３の間隔が最大となった状態である。取付現場で混合水栓１を取り付けようとする際に、取付面Ａに穿設された取付孔Ｂ，Ｂの間隔と、継手管２１，２１ａの雄ねじ部２３，２３との間隔とが異なっている場合には、次のように継手管２１，２１ａの雄ねじ部２３，２３の向きを変更させる。
【００３０】
例えば、継手管２１，２１ａを図４の状態から図５の状態へ変更する場合、まず第１ビス５８を緩めて水栓本体３から取り外し、また第２ビス５９を少し緩めて固定板５１，５１ａが仮止めされた状態とし、第２ビス５９の中心と固定板５１，５１ａのスライド孔５６，５６の中心軸線とが同一軸線上となるように、両固定板５１，５１ａを移動させる。
【００３１】
次に、第１固定板５１を水側継手管２１側へスライドさせた後、第１当接部３０が水栓本体３の前方を向くように湯側継手管２１ａを９０度回転させる。そして、固定板５１，５１ａを湯側継手管２１ａ側へスライドさせた後、湯側継手管２１ａと同様に、第１当接部３０が水栓本体３の前方を向くように水側継手管２１を９０度回転させて、取付孔Ｂ，Ｂの間隔と継手管２１，２１ａの雄ねじ部２３，２３の間隔とが一致するようにする。その後、固定板５１，５１ａの第２挿通孔５５，５５と第１筒部１１の雌ねじ部１２とが一致するように固定板５１，５１ａの位置を調節し、第１ビス５８を第１筒部１１の雌ねじ部１２に螺合する。最後に前記第２ビス５９を増締めすれば、継手管２１，２１ａが水栓本体３に固定される。このとき、湯側継手管２１ａの第２当接面３１は第２固定板５１ａの第２板部５３と、水側継手管２１の第２当接面３１は第１固定板５１の第２板部５３とそれぞれ当接しており、これにより両継手管２１，２１ａが水栓本体３に対して回転しないように位置決めがなされる。
【００３２】
そして、継手管２１，２１ａの雄ねじ部２３，２３の間隔の調節を終えた後、継手管２１，２１ａのフランジ部２６，２６が取付面Ａの表面に当接するまで継手管２１，２１ａの雄ねじ部２３，２３を取付孔Ｂ，Ｂに挿入する。そして、取付面Ａの裏側からナット１３を雄ねじ部２３に螺着すると、ナット１３とフランジ部２６とによって取付面Ａを挟着することで、混合水栓１は取付面Ａに固定される。
【００３３】
また、図４の状態から図６の状態へ変更する場合、まず第１ビス５８を緩めて水栓本体３から取り外し、次に第２ビス５９を少し緩めて固定板５１，５１ａが仮止めされた状態とし、第２ビス５９の中心と固定板５１，５１ａのスライド孔５６，５６の中心軸線とが同一軸線上となるように固定板５１，５１ａを移動させる。
【００３４】
次に、第１固定板５１を水側継手管２１ａ側へスライドさせた後、第２当接部３１が水栓本体３の内方を向くように湯側継手管２１ａを１８０度回転させる。そして、固定板５１，５１ａを湯側継手管２１ａ側へスライドさせた後、湯側継手管２１ａと同様に、第２当接部３１が水栓本体３の内方を向くように水側継手管２１を１８０度回転させて、取付孔Ｂ，Ｂの間隔と継手管２１，２１ａの雄ねじ部２３，２３の間隔とが一致するようにする。その後、固定板５１，５１ａの第１挿通孔５２，５２と第１筒部１１の雌ねじ部１２とが一致するように固定板５１，５１ａの位置を調節し、第１ビス５８を第１筒部１１の雌ねじ部１２に螺合する。最後に前記第２ビス５９を増締めすれば、継手管２１，２１ａが水栓本体３に固定される。このとき、湯側継手管２１ａの第２当接面３１は第１固定板５１の第１板部５２と、水側継手管２１の第２当接面３１は第２固定板５１ａの第１板部５２とそれぞれ当接しており、これにより両継手管２１，２１ａが水栓本体３に対して回転しないように位置決めがなされる。
【００３５】
そして、継手管２１，２１ａの雄ねじ部２３，２３の間隔の調節を終えた後、継手管２１，２１ａのフランジ部２６，２６が取付面Ａの表面に当接するまで継手管２１，２１ａの雄ねじ部を取付孔Ｂ，Ｂに挿入する。そして、取付面Ａの裏側からナット１３を雄ねじ部２３に螺着すると、ナット１３とフランジ部２６とによって取付面Ａを挟着することで混合水栓１は取付面Ａに固定される。
【００３６】
なお、本実施例の混合水栓は浴室の取付面に取り付けられる例として説明したが、これに限定されることはなく、混合水栓は流し台，洗面台，トイレその他の取付面に取り付けられてもよいことは言うまでもない。
【図面の簡単な説明】
【００３７】
【図１】本発明の混合水栓を取付面に取り付けた状態の説明図である。
【図２】図１における混合水栓の一部断面図である。
【図３】混合水栓の分解斜視図である。
【図４】継手管，取付板，固定板を混合水栓へ取り付けた状態の底面図で、継手管の雄ねじ部の間隔が最大の場合の説明図である。
【図５】継手管，取付板，固定板を混合水栓へ取り付けた状態の底面図で、継手管の雄ねじ部の間隔が開口部の間隔と同一の場合の説明図である。
【図６】継手管，取付板，固定板を混合水栓へ取り付けた状態の底面図で、継手管の雄ねじ部の間隔が最少の場合の説明図である。
【符号の説明】
【００３８】
１      ：混合水栓
３      ：水栓本体
２１    ：水側継手管
２１ａ  ：湯側継手管
２３    ：雄ねじ部
２４    ：挿入部
２５    ：連結部
２６    ：フランジ部
２８    ：第２凹溝
３０    ：第１当接面
３１    ：第２当接面
４１    ：取付板
５１    ：第１固定板
５１ａ  ：第２固定板
５２    ：第１板部
５３    ：第２板部
Ａ      ：取付面
Ｂ      ：取付孔
【図１】
2005314937.tif 000003
【図２】
2005314937.tif 000004
【図３】
2005314937.tif 000005
【図４】
2005314937.tif 000006
【図５】
2005314937.tif 000007
【図６】
2005314937.tif 000008